(57)【特許請求の範囲】
【請求項１】
吸込み口と吹出し口が開口され、内部に熱交換器及び送風機を収容する室内機本体と、
上記吹出し口に回動自在に支持され、吹出し口から吹出される熱交換空気の吹出し方向を決めるルーバと、
このルーバとルーバ駆動機構を介して連結され、ルーバを回動駆動するルーバ駆動モータと、
上記熱交換器の下端部に設けられ、冷凍サイクル運転にともなって熱交換器で生成され滴下するドレン水を受けるドレンパンと、
このドレンパンに接続されるとともに、上記ルーバ駆動モータと隣接した位置で延出され、ドレンパンが受けたドレン水を屋外へ排出案内するドレンホースと、
このドレンホースと上記ルーバ駆動モータとの間に挿入介在されるモータカバーとを具備し、
上記モータカバーは、上記ドレンホースの上記ドレンパンへの接続を案内するガイド用凹陥部を有することを特徴とする空気調和機の室内機。
【発明の詳細な説明】
【技術分野】
【０００１】
本発明は、吹出し口に設けられるルーバを回動駆動するルーバ駆動モータと、ドレンパンに接続されるドレンホースとが密接した状態にある空気調和機の室内機に係り、特にドレンホースからルーバ駆動モータへの結露の付着を防止する構造に関する。
【背景技術】
【０００２】
空気調和機の室内機は、筐体である室内機本体の前面と上面に吸込み口が開口されるとともに、前面下部に吹出し口が開口される。吸込み口と対向する室内機本体内部には熱交換器が配置され、この熱交換器と吹出し口との間に送風機が配置される。【０００３】
上記吹出し口には、ルーバが回動自在に支持される。上記ルーバは、吹出し口から左右方向に熱交換空気を案内する左右ルーバと、吹出し口から上下方向に熱交換空気を案内する上下ルーバの、２種類のルーバが互いに離間して、あるいは一体的に設けられる。【０００４】
通常、左右ルーバは吹出し口の幅方向略中間部を境に左右に２組設けられ、各組のルーバを回動駆動するルーバ駆動機構とルーバ駆動モータが吹出し口の左右両側部に設けられる。上下ルーバは吹出し口の幅方向全体に亘って１組設けられていて、上下ルーバに連結するルーバ駆動機構とルーバ駆動モータは吹出し口の一側部に設けられる。【０００５】
また、熱交換器の下端部にはドレンパンが設けられ、冷凍サイクル運転にともなって熱交換器で生成され滴下するドレン水を受ける。ドレンパンにはドレンホースが接続され、室内機と室外機とを連通する冷媒管やケーブル線とともに一括して束ねられ、室外機本体の一側部から屋外へ延出されて、ドレン水を屋外へ排出案内する。【０００６】
なお、熱交換器で生成されるドレン水は低温であり、ドレンパンとドレンホースの表面には結露が生成し易い。ドレンパンの裏面には発泡スチロール材等の断熱材を貼着していて、ドレンパン裏面に結露が生じるのを防止している。【０００７】
ドレンホースは断熱性のチューブで構成しているが、内部を通過する冷却されたドレンによりパイプが冷やされるため、室内が高温多湿状態の時などは、表面に結露が発生する可能性がある。【０００８】
そして、ドレンホースは吹出し口一側部に配置される左右ルーバと上下ルーバの、一方のルーバ駆動モータと隣接した位置に取付けられている。ドレンホースの表面が結露などで濡れた状態にあると、隣接する電気部品であるルーバ駆動モータ側に水分が付着する可能性が生じる。そのため、電気部品の安全性を考慮した場合に、好ましくない。【０００９】
ところで、特開平１０−１１０９７０号公報に記載されたものは、ドレンホース表面に結露水が生成しても、ルーバ駆動モータに付着しないように構造的に配慮されている。
【発明の開示】
【００１０】
特開平１０−１１０９７０号公報記載の構成では、室内機本体を構成する後本体の側面部を、上部側面部と下部側面部との、２段状に成形している。上部側面部は下部側面部よりも側方に突出し、この内側に電気部品箱が配置される。下部側面部の外面にはルーバ駆動モータが取付けられ、下部側面部の内側に熱交換器一部とドレンパン及びドレンホースが位置する。
【００１１】
さらに、下部側面部にはドレンホース接続確認用の孔部が設けられている。後本体に対し前面パネルを組立てする前に上記孔部から覗くと、ドレンホースの接続確認ができる。したがって、ドレンホースのドレンパンに対する接続不良による水漏れを確実に阻止できる。
【００１２】
そして、特開平１０−１１０９７０号公報記載の技術によれば、ドレンホースとルーバ駆動モータとの間に後本体の下部側面部が介在することとなり、ドレンホース表面に結露が生成されたところで、この結露がルーバ駆動モータに付着するのを防止できる。
【００１３】
しかしながら特開平１０−１１０９７０号公報記載の構成では、ドレンホース位置とルーバ駆動モータ位置とを、室内機本体の幅方向にずらした位置に設ける必要がある。当然ながら、その分、筐体である室内機本体の幅方向の寸法を拡大せざるを得ず、筐体幅寸法のコンパクト化ができないという問題がある。
【００１４】
本発明は上記事情にもとづきなされたものであり、その目的とするところは、室内機本体の幅寸法のコンパクト化を図るため、ドレンホースとルーバ駆動モータを互いに隣接した位置に配置した場合でも、ドレンホース表面に生成される結露のルーバ駆動モータへの付着を確実に阻止して、水分付着による電気的な問題発生の原因を未然に排除し、安全性を高めた空気調和機の室内機を提供しようとするものである。
【００１５】
上記目的を満足するため本発明の空気調和機の室内機は、室内機本体に吸込み口と吹出し口を開口して内部に熱交換器及び送風機を収容し、ルーバを吹出し口に回動自在に支持して熱交換空気の吹出し口からの吹出し方向を決め、ルーバ駆動モータをルーバと駆動機構を介して連結し、ドレンパンを熱交換器の下端部に設けて冷凍サイクル運転に伴い熱交換器で生成され滴下するドレン水を受け、ドレンホースをドレンパンに接続するとともにルーバ駆動モータに隣接した位置で延出しドレンパンが受けたドレン水を屋外へ排出案内し、モータカバーをドレンホースとルーバ駆動モータとの間に挿入介在してドレンホース表面に生成する結露のルーバ駆動モータへの付着を防止する。
【図面の簡単な説明】
【００１６】
【図１】図１は、本発明における一実施の形態に係る、空気調和機の室内機の概略縦断面図である。
【図２】図２は、同実施の形態に係る冷凍サイクル運転時における室内機の外観斜視図である。
【図３】図３は、同実施の形態に係る室内機と風向案内装置の一部を省略した斜視図である。
【図４】図４は、同実施の形態に係る風向案内装置の拡大した側面図である。
【図５】図５は、同実施の形態に係る風向案内装置の斜視図である。
【図６】図６は、同実施の形態に係るモータカバーの斜視図である。
【図７】図７は、同実施の形態に係るモータカバーにガイド用凹陥部が無い場合を示す説明図である。
【図８】図８は、同実施の形態に係るモータカバーにガイド用凹陥部を設けた場合のドレンホースの挿入性を示す説明図である。
【発明を実施するための最良の形態】
【００１７】
以下、本発明の実施の形態を、図面にもとづいて説明する。図１は冷凍サイクル運転の停止時における空気調和機の室内機を概略的に示す縦断面図、図２は冷凍サイクル運転時における室内機の外観を示す斜視図である。【００１８】
室内機本体１は、前側筐体を構成する前面パネル２と、後側筐体を構成する後本体３とからなり、上下方向に対して左右幅方向に横長状に形成される。室内機本体１の前面側一部に前面吸込み口４が開口され、前面吸込み口４に対向する前面パネル２には開閉駆動機構に支持される可動パネル２Ａが嵌め込まれている。【００１９】
冷凍サイクル運転停止時は、可動パネル２Ａは前面パネル２と同一面となって前面吸込み口４を閉塞し、室内機本体１の外観の一部を構成する。冷凍サイクル運転が開始されるとパネル開閉機構が作動し、可動パネル２Ａは前面吸込み口４から離間して、前面側へ突出移動する。【００２０】
したがって、可動パネル２Ａの周囲に室内と連通する隙間が生じ、前面吸込み口４を室内に対して開放できる。室内機本体１の上部には上面吸込み口５が開口されていて、この上面吸込み口５には複数の空間部に仕切る枠状の桟が嵌め込まれる。【００２１】
上記室内機本体１の前面下部には吹出し口６が開口され、この吹出し口６には後述する風向案内装置Ｆが設けられる。前記風向案内装置Ｆは、回動姿勢によって上記吹出し口６を開閉し、かつ冷凍サイクル運転条件に応じて熱交換空気の吹出し方向を設定できるようになっている。【００２２】
室内機本体１内には、前側熱交換器部８Ａと後側熱交換器部８Ｂとで略逆Ｖ字状に形成される熱交換器８が配置される。前側熱交換器部８Ａは、前面吸込み口４全体及び上面吸込み口５一部と対向するよう湾曲状に形成され、後側熱交換器部８Ｂは、直状で斜めに傾斜し上面吸込み口５一部と対向している。【００２３】
熱交換器８の前後側熱交換器部８Ａ，８Ｂ相互間に、室内送風機１０が配置される。室内送風機１０は、室内機本体１の一側端のスペースに配置されたファンモータと、このファンモータの回転軸に連結される横流ファンとから構成される。横流ファンの軸方向長さは熱交換器８の幅方向長さと同一に設定され、互いに正しく対向する。【００２４】
前側熱交換器部８Ａの下端部は前ドレンパン１２ａ上に載り、後側熱交換器部８Ｂの下端部は後ドレンパン１２ｂ上に載る。前、後ドレンパン１２ａ，１２ｂは、それぞれ室内機本体１を構成する後本体３に一体に成形され、熱交換器部８Ａ，８Ｂから滴下するドレン水を受ける。【００２５】
前、後ドレンパン１２ａ，１２ｂは、これらの両側部に亘って設けられる樋部を介して互いに連通される。後ドレンパン１２ｂは高い位置にあり、前ドレンパン１２ａは低い位置にあるところから、後ドレンパン１２ｂが受けたドレン水は前ドレンパン１２ａに導かれ、全てのドレン水は前ドレンパン１２ａに集溜される。【００２６】
前ドレンパン１２ａの左右いずれか一側端部には接続用口体が突設され、ここに後述するドレンホースが接続される。ドレンホースは、室内機と室外機とを連通する冷媒管やケーブル類とともに一括してまとめられ、室内機の据付け条件に応じて室内機本体の左右いずれか一側部から突出し、屋外へ延出される。【００２７】
前後ドレンパン１２ａ，１２ｂの一部側壁外面は室内送風機１０に近接して設けられ、これらで室内送風機１０の横流ファンに対するノーズを構成している。ノーズとなる前後ドレンパン１２ａ，１２ｂの側壁部分と吹出し口６の各辺部との間は、隔壁部材１４によって連結される。【００２８】
室内送風機１０を駆動することにより、隔壁部材１４で囲まれる空間が、ノーズと吹出し口６とを連通する吹出し通風路１５Ａとなる。これに対して、前面吸込み口４及び上面吸込み口５から熱交換器８に至る間に、吸込み通風路１５Ｂが形成される。【００２９】
一方、前面パネル２の上面吸込み口５と熱交換器８の上端部との間に亘って、枠体組立１６が介在される。この枠体組立１６の前端部に沿って、エアフィルタ清掃ユニットＳが取付けられる。【００３０】
エアフィルタ清掃ユニットＳの上部側で枠体組立１６の上面部に上面エアフィルタ１７が移動自在に支持され、エアフィルタ清掃ユニットＳの下部側で枠体組立１６の前面部に前面エアフィルタ１８が移動自在に支持される。【００３１】
前面エアフィルタ１８と前側熱交換器部８Ａとの間の吸込み通風路１５Ｂ中に、イオン発生器Ｍが設けられる。イオン発生器Ｍは、イオン発生電極２０とアース電極である対向電極２１を備えていて、これらイオン発生電極２０及び対向電極２１がケース体２２に取付けられることで構成される。【００３２】
次に、上記風向案内装置Ｆについて説明する。図３は、風向案内装置Ｆの一部（中央部）を省略して示す斜視図である。図１ないし図３に示すように、風向案内装置Ｆは、吹出し口６に対して上下方向に回動自在に支持される１枚の上下ルーバ７Ａと、この上下ルーバ７Ａの上面に取付けられ、上下ルーバ７Ａと一体に上下方向に回動するとともに、それ単独で左右方向に回動自在に支持される複数枚の左右ルーバ７Ｂを備えている。【００３３】
ここでは上下ルーバ７Ａの左右幅方向の略中間部を境にして、左右に複数枚ずつの左右ルーバ７Ｂを１組とし、２組の左右ルーバ７Ｂが取付けられている。各組の左右ルーバ７Ｂは、後述するように一斉に左右いずれかの方向に回動変位するように構成される。【００３４】
上下ルーバ７Ａは、吹出し口６の左側部に設けられる正逆回転自在な上下ルーバ駆動モータ３０Ａに、上下ルーバ駆動機構３１Ａを介して連結される。各組の左右ルーバ７Ｂは、吹出し口６の左側部と右側部に設けられる正逆回転自在な左右ルーバ駆動モータ３０Ｂに、左右ルーバ駆動機構３１Ｂを介して連結される。【００３５】
すなわち、吹出し口６の右側部には左右ルーバ駆動機構３１Ｂと左右ルーバ駆動モータ３０Ｂが配置されるのに対して、吹出し口６の左側部には左右ルーバ駆動機構３１Ｂと左右ルーバ駆動モータ３０Ｂが配置されるとともに、上下ルーバ駆動機構３１Ａと上下ルーバ駆動モータ３０Ａが配置される。【００３６】
吹出し口６の右側部に配置される左右ルーバ駆動機構３１Ｂは単独に構成されるが、吹出し口６の左側部に配置される左右ルーバ駆動機構３１Ｂは、上下ルーバ駆動機構３１Ａと一体に構成されている。【００３７】
次に、吹出し口６の右側部に配置される左右ルーバ駆動機構３１Ｂを概略説明する。左右ルーバ駆動モータ３０Ｂを所定方向に回転駆動すると、この回転軸に取付けられる駆動ギヤがラック部を備えた駆動棒を軸方向に移動させる。【００３８】
駆動棒は、上下ルーバ７Ａの右側端に設けられる支持用リブに挿通していて、上下ルーバ７Ａの回動とは無関係に軸方向に移動できる。駆動棒の移動に伴い、上下ルーバ７Ａに設けられる連結固定具を介して連結杆が上下ルーバ７Ａの幅方向に移動する。【００３９】
全ての左右ルーバ７Ｂは、一側部が上下ルーバ７Ａに回動支点を有して回動自在であり、他側部が連結杆に設けられる長孔に掛合する。したがって、連結杆が一方向に移動すると、１組の左右ルーバ７Ｂが回動支点を中心に一斉に連結杆の移動方向へ回動する。【００４０】
なお、駆動棒と連結固定具とは軸方向にのみ一体に移動し、周方向には空回りするよう連結されるので、上下ルーバ７Ａの回動に対しては無関係の状態にある。【００４１】
次に、吹出し口６の左側部に配置され、一体に構成される左右ルーバ駆動機構３１Ｂと上下ルーバ駆動機構３１Ａを概略的に説明する。【００４２】
ここに用いられる左右ルーバ駆動機構３１Ｂは、先に説明した吹出し口６の右側部に配置される左右ルーバ駆動機構３１Ｂと同一構成である。ただし、駆動棒の一部に駆動軸が、駆動棒の軸方向に沿ってスライド自在で、かつ駆動棒と一体に回転自在に嵌め込まれている。【００４３】
この駆動軸にはギヤが設けられ、上下ルーバ駆動モータ３０Ａの回転軸に取付けられる駆動ギヤに噛合する。さらに駆動軸の一端部に角軸部が設けられ、上下ルーバ７Ａ左側端の支持用リブに設けられる角穴に挿入掛合する。【００４４】
上下ルーバ駆動モータ３０Ａがギヤを回転駆動すると、駆動軸が同方向に回転し、駆動軸の角軸部と支持用リブの角穴を介して上下ルーバ７Ａが同方向に回動する。前述したように、駆動軸と左右ルーバ駆動機構３１Ｂを構成する駆動棒とは一体に回動し、駆動棒自体はそれ単独で軸方向に移動自在である。【００４５】
そして、駆動棒の先端に連結される連結固定具とは、駆動棒の軸方向に沿って一体にスライド自在であるけれども、周方向には無関係であり駆動棒は空回りするように構成されている。【００４６】
上下ルーバ駆動モータ３０Ａを駆動することで、上下ルーバ駆動機構３１Ａが作用して上下ルーバ７Ａが回動付勢されるが、このとき、左右ルーバ駆動モータ３０Ｂを駆動しない限り左右ルーバ駆動機構３１Ｂは作用せず、左右ルーバ７Ｂの回動はない。【００４７】
逆に、左右ルーバ駆動モータ３０Ｂを駆動すれば、左右ルーバ駆動機構３１Ｂを介して左右ルーバ７Ｂが回動付勢され、上下ルーバ７Ａとは無関係の状態を保持する。【００４８】
左右ルーバ駆動モータ３０Ｂと、上下ルーバ駆動モータ３０Ａを同時に駆動すれば、それぞれのルーバ駆動機構３１Ｂ，３１Ａが同時に作用し、左右ルーバ７Ｂと上下ルーバ７Ａは同時に回動付勢される。【００４９】
特に、吹出し口６の左側部に設けられ、左右ルーバ駆動機構３１Ｂに連結される左右ルーバ駆動モータ３０Ｂと、上下ルーバ駆動機構３１Ａに連結される上下ルーバ駆動モータ３０Ａとは、互いに近接した位置に配置される。【００５０】
図４は、左右ルーバ駆動モータ３０Ｂ及び上下ルーバ駆動モータ３０Ａの配置と、ドレンホースＨとの関係を説明する側面図であり、図５は同じ構成の斜視図である。実際には、室内機本体１を構成する前面パネル２を取外し、残った後本体３の側面一部を拡大している。【００５１】
図の略中央部に上下ルーバ駆動モータ３０Ａが取付けられていて、このモータ３０Ａの回転軸は後本体３の側面部を貫通して内部に突出し、上述した上下ルーバ駆動機構３１Ａに連結される。【００５２】
また、上下ルーバ駆動モータ３０Ａの右側部に狭小の間隙を存して左右ルーバ駆動モータ３０Ｂが取付けられていて、この駆動モータ３０Ｂの回転軸は後本体３の側面部と並行し、かつ斜め下方に突出して、上述した左右ルーバ駆動機構３１Ｂに連結される。【００５３】
特に、上下ルーバ駆動モータ３０Ａは、その周面一部が後述するモータカバーＫによって覆われる。なお説明すると、モータカバーＫの内面（裏面）側に上下ルーバ駆動モータ３０Ａが接していて、モータカバーＫの外面（表面）側に上記前ドレンパン１２ａの一側端に接続されるドレンホースＨが接している。【００５４】
モータカバーＫが無いと、上下ルーバ駆動モータ３０ＡとドレンホースＨが隣接した位置にある。このように、ドレンホースＨと上下ルーバ駆動モータ３０Ａを隣接した位置に配置することで、室内機本体１の幅寸法のコンパクト化を図れる。そのうえで、上下ルーバ駆動モータ３０ＡとドレンホースＨとの間にモータカバーＫが挿入介在される。【００５５】
なお、室内機の被空調室に対する据付け条件によっては、図に示すように前ドレンパン１２ａの左側部にドレンホースＨを接続するばかりでなく、逆に、前ドレンパン１２ａの右側部にドレンホースＨを接続する場合もあり得る。【００５６】
このときは、吹出し口６の右側部に設けられる左右ルーバ駆動モータ３０ＢにドレンホースＨが隣接した位置で延出されることになるので、当然ながら、左右ルーバ駆動モータ３０ＢとドレンホースＨとの間にモータカバーＫを挿入介在する。【００５７】
図６は、モータカバーＫの外観斜視図である。モータカバーＫは、上下ルーバ駆動モータ３０Ａもしくは左右ルーバ駆動モータ３０Ｂの一部に被冠するよう膨出成形されるカバー部Ｋａを備えている。このカバー部Ｋａの一側端で、図の上部には、取付け用孔Ｋｂが設けられる取付け部Ｋｃが一体に突設される。さらに、カバー部Ｋａの他側縁に沿って補強用の鍔部Ｋｄが一体に設けられる。【００５８】
上記カバー部Ｋａは、上記鍔部Ｋｄ側の側端で、かつ、図の上端のみ、部分的に角部を無くしたＲ面（断面円弧状）のガイド用凹陥部Ｋｅを備えている。このガイド用凹陥部Ｋｅの断面の曲率半径は上記ドレンホースＨの曲率半径と略同一に形成される。【００５９】
モータカバーＫのカバー部Ｋａを、上下ルーバ駆動モータ３０Ａに被冠し、取付け部Ｋｃを後本体３の側面部に当て、取付け用孔Ｋｂに取付けねじを挿入し、取付けねじ先端を後本体３側面部のねじ孔に螺挿することで、モータカバーＫを後本体３に取付けられる。【００６０】
このあと、前ドレンパン１２ａに突設される接続用口体にドレンホースＨの先端部を嵌め込んで、ドレンホースＨの前ドレンパン１２ａに対する接続をなす。【００６１】
図７に示すように、仮に、モータカバーＫにガイド用凹陥部が無く、カバー部Ｋａの側端を角状に形成すると、ドレンホースＨを前ドレンパン１２ａの接続用口体に挿入するときにカバー部Ｋａの角部が邪魔になる。図７中Ｘで示すようにドレンホースＨとモータカバーＫが互いに干渉してしまい、ドレンホースＨを前ドレンパン１２ａに円滑に挿入接続できない（挿入性の悪化）。【００６２】
これに対してモータカバーＫにガイド用凹陥部Ｋｅを設けておけば、図８中Ｙに示すように、ドレンホースＨとモータカバーＫとの干渉が無くなる。すなわち、ドレンホースＨ先端部をガイド用凹陥部Ｋｅに沿って移動することで、ガイド用凹陥部ＫｅがドレンホースＨ接続のガイドとなって、ドレンホースＨの挿入性を確保する。【００６３】
次に、このようにして構成される空気調和機の室内機における作用について説明する。【００６４】
使用者がリモコン（遠隔操作盤）の運転ボタンを押圧操作すると、室内送風機１０が駆動されるとともに、イオン発生器Ｍに通電される。さらに、室内機と冷媒管を介して連通する室外機において圧縮機が駆動され、冷凍サイクル運転が開始される。【００６５】
室内空気は前面吸込み口４及び上面吸込み口５から室内機本体１内に吸込まれ、吸込み通風路１５Ｂに沿って導かれて、前面エアフィルタ１８及び上面エアフィルタ１７を通過する。このとき、室内空気中に含まれる塵埃が前面エアフィルタ１８及び上面エアフィルタ１７に捕捉される。【００６６】
前面エアフィルタ１８と上面エアフィルタ１７により塵埃が除去された室内空気は、イオン発生器Ｍの作用により殺菌され脱臭される。同時に、イオン発生器Ｍは室内機構成部品の殺菌も行う。清浄化した室内空気は熱交換器８を流通し、ここに導かれる冷媒と熱交換作用が行われて熱交換空気となる。【００６７】
そのあと、熱交換空気は吹出し通風路１５Ａに沿って導かれ、吹出し口６から室内へ吹出される。このとき、後述するように風向案内装置Ｆに吹出し案内されて、効率のよい空調運転を継続する。【００６８】
長時間、冷凍サイクル運転を継続すると前面エアフィルタ１８と上面エアフィルタ１７に捕捉され、付着している塵埃の量が増えて空気流通の抵抗となる。そこで、定期的にエアフィルタ清掃ユニットＳを作動させて、各エアフィルタ１８，１７に付着している塵埃を除去し屋外へ排出する。【００６９】
なお、冷房運転時と、暖房運転時では、後述するように風向案内装置Ｆの姿勢を変化調整すると良い。【００７０】
冷房運転の開始にあたって、上下ルーバ駆動モータ３０Ａが駆動され、上下ルーバ駆動機構３１Ａが上下ルーバ７Ａを吹出し通風路１５Ａに沿うよう斜め姿勢にしたところで、上下ルーバ駆動モータ３０Ａの駆動が停止制御される。【００７１】
次に、冷凍サイクル作用が行われる一方で、左右ルーバ駆動モータ３０Ｂが回転駆動され、駆動棒、連結固定具、連結杆等からなる左右ルーバ駆動機構３１Ｂが作動して、各組の左右ルーバ７Ｂが一斉に同方向に回動する。【００７２】
左右ルーバ駆動モータ３０Ｂは所定時間、所定方向に回転駆動したあと、反所定方向に所定時間は回転駆動するよう制御される。連結固定具と連結杆は所定時間ずつ往復駆動され、これに伴い複数枚の左右ルーバ７Ｂは一斉に所定方向と反所定方向に回動駆動される、いわゆる首振り運動をなす。【００７３】
冷凍サイクル運転にともなって吹出し口６から吹出される冷気は、左右ルーバ７Ｂにより左右方向に吹出し方向が決められ室内の隅々に到達する。しかも、冷気は上下ルーバ７Ａにより斜め前方に案内されるとともに、上下ルーバ７Ａの断面形状に沿って導かれる。【００７４】
結果として、風の剥離がなくなり、水平方向へ効率よく気流を曲げることができる。冷気はより遠くへ、より上方へ導かれることとなり、室内の床面から離間して居住人の足元を直接冷やすことが無い。このような風向案内装置Ｆを備えたことによって、快適な冷房空調を得られる。【００７５】
暖房運転が選択されると、上下ルーバ駆動モータ３０Ａが駆動され、ギヤ、駆動軸等からなる上下ルーバ駆動機構３１Ａを介して上下ルーバ７Ａを略垂直姿勢にする。したがって、左右ルーバ７Ｂは上下ルーバ７Ａの裏面側に位置する。【００７６】
この姿勢を保持したまま暖房の冷凍サイクル運転をなすとともに、左右ルーバ駆動モータ３０Ｂを正逆回転駆動する。さらに、上下ルーバ駆動モータ３０Ａにも通電して、上下ルーバ７Ａを所定の角度範囲内で首振り運動するようにしてもよい。【００７７】
左右ルーバ駆動モータ３０Ｂの駆動に伴い、左右ルーバ７Ｂはいわゆる首振り運動をなし、吹出し口６から吹出される暖気を室内の隅々まで案内する。暖気は室内機から室内の床面へ案内され、居住人の足元を暖める。上記風向案内装置Ｆを備えたことによって、いわゆる頭寒足熱の快適な暖房空調を得られる。【００７８】
特に、冷房運転時において熱交換器８に導かれる冷媒は蒸発して、ここを流通する室内空気から蒸発潜熱を奪う。このとき、室内空気は冷気に変るとともに除湿され、乾燥化して吹出し口６から吹出される。【００７９】
室内空気から除湿された水分は、水滴状になって熱交換器８に付着したまま残り、次第に肥大化する。ついには熱交換器８に沿って流下し、前後ドレンパン１２ａ，１２ｂに滴下するドレン水となる。【００８０】
互いのドレンパン１２ａ，１２ｂが樋部を介して連通することと、高さの関係から全てのドレンは前ドレンパン１２ａに集溜される。長時間の運転にともなって前後ドレンパン１２ａ，１２ｂに滴下するドレン水の量が増え、前ドレンパン１２ａに集溜したあとドレンホースＨに導かれて屋外へ排出される。【００８１】
梅雨時や夏季などの冷房、除湿運転時においては、低温のドレン水がドレンホースＨ内部に流通する一方で、ドレンホースＨの表面に多湿の空気が接触し、この空気が凝縮して結露が発生する可能性が多い。【００８２】
しかしながら、ここではドレンホースＨと上下ルーバ駆動モータ３０Ａとの間にモータカバーＫを介在させている。ドレンホースＨの表面を濡らす結露はモータカバーＫに遮られて上下ルーバ駆動モータ３０Ａ側に流出することは無い。したがって、上下ルーバ駆動モータ３０Ａの、安全性が確保できる。【００８３】
左右ルーバ駆動モータ３０Ｂは上下ルーバ駆動モータ３０ＡよりもドレンホースＨから離れた位置にあるので、モータカバーＫが存在しなくても、ドレンホースＨ表面に生成する結露の影響を受けることは無い。【００８４】
ただし、吹出し口６の右側部に設けられる上下ルーバ駆動モータ３０ＡにドレンホースＨが隣接した位置にあるときは、これらの間にモータカバーＫを挿入介在させることは言うまでもない。【００８５】
なお、上述した実施の形態の風向案内装置Ｆは、上下ルーバ７Ａに左右ルーバ７Ｂを一体に設けた構造としたが、これに限定されるものではなく、従来から用いられるように、上下ルーバを吹出し口６に設け、この近傍に左右ルーバを設けた構成であって、ドレンホースがいずれかルーバの駆動モータに隣接した位置にある場合にも適用できる。【００８６】
また、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【産業上の利用可能性】
【００８７】
本発明によれば、ドレンホースとルーバ駆動モータを隣接した位置にして、室内機本体幅寸法のコンパクト化を図り、ドレンホース表面に生成される結露のルーバ駆動モータへの付着を確実に阻止して、水分付着による電気的な問題発生の原因を未然に排除し、安全性の向上を図れる等の効果を奏する。
【図１】
0005386509.tif 000002
【図２】
0005386509.tif 000003
【図３】
0005386509.tif 000004
【図４】
0005386509.tif 000005
【図５】
0005386509.tif 000006
【図６】
0005386509.tif 000007
【図７】
0005386509.tif 000008
【図８】
0005386509.tif 000009